(57)【要約】【課題】立体的な動きを行なうことが可能で、表現性、注目性、意外性、訴求性、等に優れた印刷物を提供する。【解決手段】移動シートと、固定シートと、電源部と、制御部から成る印刷物である。移動シートはその一方の辺部分が固定シートに接着固定されており、その他の部分はその面が固定シートの面に対向して移動可能に配置され、静電力によってその他の部分は固定シートに対して移動を行う。また対向面に対して反対面である表面に印刷が行なわれている。固定シートはその面が移動シートの面に対向して配置され、その対向面に沿う方向に電極線の複数本が互いに平行となるように配列され、その電極郡が複数個が存在する。電源部は制御部の制御下において電極郡の各々に対して所定の電位を供給する。制御部は接着固定された一方の辺部分の方向に移動可能な他方の辺部分を移動する制御を電源部に対して行う。【選択図】  図１
2009048037.tif 000002
【特許請求の範囲】
【請求項１】
移動シートと、固定シートと、電源部と、制御部から成る印刷物であって、
前記移動シートはその移動シートにおける一方の辺部分が前記固定シートに接着固定されており、その他の部分はその面が前記固定シートの面に対向して移動可能に配置され、その対向面に前記固定シートの電極電位に応じた電荷が誘起され、その誘起された電荷と前記固定シートの電極電位との間に静電力が発生し、その発生した静電力によって前記その他の部分は前記固定シートに対して移動を行い、また前記対向面に対して反対面である表面に印刷が行なわれており、
前記固定シートはその面が前記移動シートの面に対向して配置され、その対向面に沿う方向に電極線の複数本が互いに平行となるように配列され、その複数本の電極線が前記配列の順序にしたがって３系統に統合接続されて３系統の各端子が設けられた電極郡を成し、その電極郡の複数個が存在し、
前記電源部は前記制御部の制御下において前記電極郡の各々に対して所定の電位を前記３系統の各端子から供給し、
前記制御部は前記電極郡の中で前記移動シートにおける前記一方の辺部分に対向する他方の辺部分に存在する電極郡に対して前記他方の辺部分を前記一方の辺部分の方向に移動する制御を前記電源部に対して行う、
ことを特徴とする印刷物。
【請求項２】
請求項１記載の印刷物において、前記固定シートは前記移動シートとの対向面に印刷が行なわれていることを特徴とする印刷物。
【請求項３】
請求項１または２記載の印刷物において、前記一方の辺部分と前記他方の辺部分との間に存在する中央部分が前記固定シートの対向面から突出することを容易化する容易化手段を備えることを特徴とする印刷物。
【請求項４】
請求項３記載の印刷物において、前記容易化手段は前記制御部が前記電極郡の中で前記移動シートにおける前記中央部分に存在する電極郡に対して前記中央部分を持ち上げる制御を前記電源部に対して行う容易化手段であることを特徴とする印刷物。
【発明の詳細な説明】
【技術分野】
【０００１】
本発明は特殊な印刷物の技術分野に属する。特に、立体的な動きを行なうことが可能でたとえばポスター等の広告掲示物に適用したときの表現性、注目性、意外性、訴求性、等に優れた印刷物に関する。
【背景技術】
【０００２】
複数の表示シートが無限軌道体を移動することにより繰返表示を可能とする連続表示装置の発明が知られている（特許文献１）。この発明によれば、無限軌道体はシート電極と駆動電源とを備える。シート電極は、無限軌道体の長さ方向に対して略直角方向に延びた複数の電極Ｐｕ，Ｐｖ，Ｐｗを形成し、所定間隔ごとに各電極Ｐｕ，Ｐｖ，Ｐｗを繰返し接続し、無限軌道体の無限軌道に対して一体に形成した電極である。また、駆動電源はシート電極の各電極Ｐｕ，Ｐｖ，Ｐｗ に対して順次電圧を印加する電源である。表示シートはシート電極に対向配置され、表示シートにはシート電極の各電極Ｐｕ，Ｐｖ，Ｐｗ に対向する表面に電荷が誘起される。その誘起された電荷とシート電極の各電極Ｐｕ，Ｐｖ，Ｐｗ に駆動電源が順次印加する電圧によって、両者間に静電力を発生させる。そして、その発生した静電力によって表示シートは無限軌道を移動する。
【０００３】
また、透光量調整装置や広告装置として利用可能であり、装置全体を薄型に構成することが出来る静電アクチュエータ装置の発明が知られている（特許文献２）。この発明によれば、静電アクチュエータ装置は移動体と一対の透光ガラス板と透明板状体とインシュレータとを備える。移動体は３相の帯状電極が所定ピッチで平行に複数配設されたフィルムであって、所定間隔に対向配置された一対の透光ガラス板間に配置される。透明板状体は、帯状電極と直交する方向に折返された扁平なＳ字状断面をなす移動体の基端部を固定する。インシュレータは移動体の折返し重合部における基端部側と中間部との間に介設される。その構成において、３相の帯状電極に供給される電荷の極性変化に応じて移動体の折返し重合部における先端部側に伸縮駆動力を付与する。折返した移動体の伸縮により透光量調整や表示のためのフィルム移動が行なわれる。
【特許文献１】特開平１１−２４９５９８
【特許文献２】特開平１０−３２９８７
【０００４】
しかしながら、この従来の方法においては、表示シート（移動体）は無限軌道（透光ガラス板）に密接したままで移動を行なう。すなわち、表示シート（移動体）の移動の態様は完全に想定されたものである。そのため、ポスター等の広告掲示物に適用したときには、従来から存在する他の駆動方式に基づく動きのある広告掲示物と大差ない印象を見る者に与えるだけであるという問題がある。
【発明の開示】
【発明が解決しようとする課題】
【０００５】
本発明は上記の問題を解決するために成されたものである。その目的は、移動シートは固定シートに密接したままではなく、固定シートから離れて立体的な動きを行なうことが可能でき、たとえばポスター等の広告掲示物に適用したときの表現性、注目性、意外性、訴求性、等に優れた印刷物を提供することにある。
【課題を解決するための手段】
【０００６】
本発明の請求項１に係る印刷物は、移動シートと、固定シートと、電源部と、制御部から成る印刷物であって、  前記移動シートはその移動シートにおける一方の辺部分が前記固定シートに接着固定されており、その他の部分はその面が前記固定シートの面に対向して移動可能に配置され、その対向面に前記固定シートの電極電位に応じた電荷が誘起され、その誘起された電荷と前記固定シートの電極電位との間に静電力が発生し、その発生した静電力によって前記その他の部分は前記固定シートに対して移動を行い、また前記対向面に対して反対面である表面に印刷が行なわれており、  前記固定シートはその面が前記移動シートの面に対向して配置され、その対向面に沿う方向に電極線の複数本が互いに平行となるように配列され、その複数本の電極線が前記配列の順序にしたがって３系統に統合接続されて３系統の各端子が設けられた電極郡を成し、その電極郡の複数個が存在し、  前記電源部は前記制御部の制御下において前記電極郡の各々に対して所定の電位を前記３系統の各端子から供給し、  前記制御部は前記電極郡の中で前記移動シートにおける前記一方の辺部分に対向する他方の辺部分に存在する電極郡に対して前記他方の辺部分を前記一方の辺部分の方向に移動する制御を前記電源部に対して行うようにしたものである。
また、本発明の請求項２に係る印刷物は、請求項１に係る印刷物において、前記固定シートは前記移動シートとの対向面に印刷が行なわれているようにしたものである。
また、本発明の請求項３に係る印刷物は、請求項１または２に係る印刷物において、前記一方の辺部分と前記他方の辺部分との間に存在する中央部分が前記固定シートの対向面から突出することを容易化する容易化手段を備えるようにしたものである。
また、本発明の請求項４に係る印刷物は、請求項３に係る印刷物において、前記容易化手段は前記制御部が前記電極郡の中で前記移動シートにおける前記中央部分に存在する電極郡に対して前記中央部分を持ち上げる制御を前記電源部に対して行う容易化手段であるようにしたものである。
【発明の効果】
【０００７】
本発明の請求項１に係る印刷物によれば、その印刷物は移動シートと、固定シートと、電源部と、制御部から成る。  移動シートはその移動シートにおける一方の辺部分が固定シートに接着固定されており、その他の部分はその面が固定シートの面に対向して移動可能に配置され、その対向面に固定シートの電極電位に応じた電荷が誘起され、その誘起された電荷と固定シートの電極電位との間に静電力が発生し、その発生した静電力によってその他の部分は固定シートに対して移動を行う。また、移動シートの対向面に対して反対面である表面に印刷が行なわれている。  固定シートはその面が移動シートの面に対向して配置され、その対向面に沿う方向に電極線の複数本が互いに平行となるように配列され、その複数本の電極線が配列の順序にしたがって３系統に統合接続されて３系統の各端子が設けられた電極郡を成し、その電極郡の複数個が存在する。  電源部は制御部の制御下において電極郡の各々に対して所定の電位を３系統の各端子から供給し、  制御部は電極郡の中で移動シートにおける一方の辺部分に対向する他方の辺部分に存在する電極郡に対して他方の辺部分を一方の辺部分の方向に移動する制御を電源部に対して行う。すなわち、移動シートは一方の辺部分が固定シートに接着固定されており、その一方の辺部分に対して移動可能な他方の辺部分が接近する移動を行なう。そのときにそれらの２つの辺に挟まれた中央部分は固定シートの面から離れて突出する変形を行なうことになる。したがって、移動シートは固定シートに密接したままではなく、固定シートから離れて立体的な動きを行なうことができ、たとえばポスター等の広告掲示物に適用したときの表現性、注目性、意外性、訴求性、等に優れた印刷物が提供される。
また、本発明の請求項２に係る印刷物によれば、請求項１に係る印刷物において、固定シートは移動シートとの対向面に印刷が行なわれている。したがって、固定シートにおける移動シートに隠されていない部分の印刷内容が移動シートの移動により変化をともなって表れ、移動シートの印刷内容と合わさって顕著な相乗効果を生じさせることができる。
また、本発明の請求項３に係る印刷物によれば、請求項１または２に係る印刷物において、一方の辺部分と他方の辺部分との間に存在する中央部分が固定シートの対向面から突出することを容易化する容易化手段を備える。したがって、対向する２つの辺の間に存在する中央部分は容易かつ確実に固定シートの面から離れて突出する変形を行なうことができる。
また、本発明の請求項４に係る印刷物によれば、請求項３に係る印刷物において、容易化手段は制御部が電極郡の中で移動シートにおける中央部分に存在する電極郡に対して中央部分を持ち上げる制御を電源部に対して行う容易化手段である。したがって、制御部と電源部における動作の態様として容易化手段を実現することができる。
【発明を実施するための最良の形態】
【０００８】
次に、本発明の実施の形態について図を参照しながら説明する。本発明の印刷物における移動シートと固定シートの部分の構成と動作の一例を図１に示す。図１において、１は移動シート、２は固定シートである。
本発明の印刷物は、たとえば、ポスター等の広告掲示物に適用される印刷物であるが、一般的に知られている広告掲示を行なう媒体としての印刷物の部分が、本発明における移動シート１と固定シート２の部分に相当する。しかしながら、後述するように、本発明はそれら移動シート１と固定シート２の部分の構成においても、それらに動きを付与させるための電源部と制御部とを備えていることにおいても、一般的な印刷物とは相違する。広告掲示物には一枚の印刷物としてのポスターだけでなく、電池、モーター等を使用して動きを付与した広告掲示物がある。本発明の印刷物はそれらとは相違するものであって、枚葉（シート）の印刷物であるポスターが立体的な動きを行なう態様の印刷物である。
【０００９】
そこで、最初に、本発明の印刷物における移動シート１と固定シート２の部分の構成と動作の一例について、図１を参照して説明する。
移動シート１は、断面図として図１（Ａ）に示すように、その一方の辺部分が固定シートに接着固定されており、その他の部分はその面が固定シート２の面に対向して移動可能に配置されている。移動シート１には固定シート２の対向面に対して反対面である表面に印刷が行なわれている。固定シート２にも、移動シート１と同様に、移動シート１の対向面である表面に印刷を行なうことができる。すなわち、本発明の印刷物は移動シート１と固定シート２を重ね合わせた構成部分を備えており、その構成部分がポスターまたは広告掲示物として表示される領域となっている。
【００１０】
移動シート１は、接着固定された一方の辺部分を除くと、固定シート２との間で静電力が働くことによって固定シート２に対して移動を行なうことができる（その原理については後述する）。本発明の印刷物においては、その移動の方向は移動シート１の部分によって制御することができる。断面図として図１（Ｂ）に示すように、移動シート１の対向する２つの辺における一方の辺部分は接着固定されているから、その一方の辺部分が移動することは全くない。また、移動シート１における中央部分には静電力が働かない。また、移動シート１における他方の辺部分は、一方の辺部分の方向に移動する静電力が働く。
【００１１】
すなわち、図１に示す一例においては、移動シート１における一方の辺部分に対して他方の辺部分が近づくように移動が行なわれる。この移動シート１の一方の辺部分に対して他方の辺部分が接近する移動によって、移動シート１は変形を行なうことになる。移動シート１は可撓性を有するが面方向に沿った方向（図１における左右方向）の伸縮率は大きくはない。そのため、移動シート１は面方向に対して直角方向に曲げられ曲面を生じる変形を行う。このとき固定シート２との対向面の側は固定シート２が障壁となっていてその方向へは変位できない。したがって、その対向する２つの辺部分に挟まれた中央部分は固定シート２の面から離れて突出する変形を行なうことになる。
【００１２】
このように、本発明の印刷物においては、その移動シート１における一方の辺部分に対して他方の辺部分が近づき立体的になることができる。また、その逆であって、すなわち図１（Ｂ）から図１（Ａ）に向かって、移動シート１における一方の辺部分に対して他方の辺部分が遠退き平面的になることもできる。すなわち、本発明の印刷物は、平面から立体化し、立体から平面化し、それを繰返すことができる。
したがって、本発明の印刷物は、たとえばポスター等の広告掲示物に適用したときの表現性、注目性、意外性、訴求性、等に優れたものとなる。
また、固定シート２において移動シート１との対向面に印刷が行なわれているときには、固定シート２における移動シートに隠されていない部分の印刷内容が移動シート１の移動により変化をともなって表れ、移動シートの印刷内容と合わさって顕著な相乗効果を生じさせることができる。
【００１３】
次に、移動シート１における対向する２つの辺部分に挟まれた中央部分が固定シート２の面から離れて突出する変形を行い易くするための手段、すなわち容易化手段について説明する。
本発明の印刷物における容易化手段の一例を図２と図３に示す。図２（１）には静電力によって、移動シート１の中央部分を固定シート２から突出させる（持上げる）ことを容易にする容易化手段が示されている。移動シート１の中央部分に存在する固定シート２の電極郡（後述する）対してマイナス（プラス）の電位を印加すると、電極郡に対向する移動シート１の表面はプラス（マイナス）に帯電する。このとき、移動シート１と固定シート２との間には静電力が引力として作用する。その引力が作用しているときには、移動シート１の中央部分と固定シート２の対向面には接触し摩擦力が作用する。そのため、移動シート１の中央部分は固定シート２に固定され停止した状態となる。
次に、電極郡に対してプラス（マイナス）の電位を印加すると、電極郡は極めて高い導電性を有するため瞬時にプラス（マイナス）の電位となる。一方。移動シート１は極めて低い導電性の材料（絶縁材料）からなるため、短時間においてはその表面はプラス（マイナス）に帯電したままの状態となっている。このとき、移動シート１と固定シート２との間には静電力が斥力として作用する。その斥力が作用しているときに、移動シート１における対向する２つの辺部分が近づくように移動が行なわれると、移動シート１における対向する２つの辺部分に挟まれた中央部分が固定シート２の面から離れて突出する変形が行い易くなる。
【００１４】
図２（２）には移動シート１に折癖、等を形成して、移動シート１の中心部分を固定シート２から突出させる（持上げる）ことを容易にする容易化手段が示されている。折癖はその一例であって折られたことがある部分は折られ易くなる性質を利用する容易化手段である。同様の容易化手段としては、曲がるべき位置に、折罫と呼ばれる凹部を形成する、ミシン目を形成する、切欠を形成する、等の容易化手段を挙げることができる。
図３（３）には移動シート１に対して成型または凸部を設けて、移動シート１の中心部分を固定シート２から突出させる（持上げる）ことを容易にする容易化手段が示されている。この容易化手段は、移動シート１の中央部分が最初から少しだけ盛り上がっているようにしたものである。その盛り上がりを形成する方法としては成型してその形状が維持されたものと、固定シート２に向かった凸部をその中央部分に設けたものが示されている。
図３（４）には移動シート１の曲がるべき位置に柔軟な素材を適用して、移動シート１の中心部分を固定シート２から突出させる（持上げる）ことを容易にする容易化手段が示されている。図２（２）の折癖と同様であって、移動シート１は柔軟な素材の部位において容易かつ正確に曲がる。
【００１５】
次に、本発明の印刷物において、移動シート１と固定シート２の間に静電力が発生し、その静電力により移動を行なう構成について説明する。
移動シート１と固定シート２の間に静電力が発生し、その静電力により移動を行なう原理についての説明図を図４に示す。
図４に示す一例において、移動シート１には電極線は設けられていない。移動シート１は一般的には絶縁材料（誘電体）であり、たとえば、ポリエステルフィルム、ポロプロピレンフィルム、ポリスチレンフィルム、ポリ塩化ビニール、ポリ塩化ビニリデンフィルム、ポリエチレンフィルム、ポリアミドフィルム、ポリイミドフィルム、等のプラスチックフィルムを使用することができる。また、そのような絶縁材料を固定シート２との対向面にラミネートした（貼り合せた）紙、等の複合材料を使用することができる。移動シート１の絶縁性は、表面抵抗率が約１０11〜１０13程度が好適である。この場合微弱な電気が流れるため、固定シート２の電極線によって移動シート１に誘起された電荷は、電極線における電圧の瞬間的な変化に対して遅れて追従することになる。このような表面物性は材料表面の処理に大きく影響されることがあるため、使用することができる材料は上記に限定されない。
【００１６】
一方、図４に示す一例において、固定シート２には電極線が設けられている。固定シート２としては、プリント配線板、フレキシブルプリント配線板を使用することができる。電極線は固定シート２の移動シート１との対向面に沿う方向に複数本が互いに平行となるように配列している。その複数本の電極線が配列の順序にしたがって３系統に統合接続されて３系統の端子が設けられた電極郡を成す。後述するように、その電極郡も複数個が存在する。図４に示す一例においては、固定シート２には移動シート１との対向面に沿う方向に複数本の電極線２１ａ，２１ｂ，２１ｃ，２１ｄ，２１ｅ，２１ｆ，２１ｇ，２１ｈ，・・・が互いに平行となるように配列している。その複数本の電極線２１ａ・・・が配列の順序にしたがって３系統に統合接続されて３系統の端子Ｕ，Ｖ，Ｗが設けられている。端子Ｕ，Ｖ，Ｗには独立に任意の波形の電圧を制御部（図示せず）の制御下における電源部（図示せず）から印加することができる。電源部は端子Ｕ，Ｖ，Ｗに所定電圧の電力を供給し、制御部は印加する電圧の時系列パターンが所定パターンとなるように電源部を制御する。
【００１７】
図４を参照して、その動作の一例について説明する。まず、図４（１）に示すステップおいて、一例として、（Ｕ，Ｖ，Ｗ）＝（＋，−，０）の電圧を印加する。印加した瞬間に端子Ｕに接続する電極線は＋に、端子Ｖに接続する電極線は−に、端子Ｗに接続する電極線は０になる。
次に、図４（２）に示すステップおいて、電圧が印加された電極線による電界によって移動シート１には電荷が誘起され帯電する。端子Ｕに接続する電極線は＋であるから、移動シート１のその部位には−の電荷が誘起され、端子Ｖに接続する電極線は−であるから、移動シート１のその部位には＋の電荷が誘起され、端子Ｗに接続する電極線は０であるから、移動シート１のその部位には電荷が誘起されない。このとき、移動シート１と固定シート２との間には対向面に対して直角方向の引力が作用する。
【００１８】
次に、図４（３）に示すステップおいて、印加する電圧を切替えて（Ｕ，Ｖ，Ｗ）＝（−，＋，−）の電圧を印加する。移動シート１に誘起された電荷は電圧の瞬間的な変化に対して直ぐには追従することができない。端子Ｕに接続する電極線は−に切替えられたが、移動シート１のその部位には−の電荷が残留し、端子Ｖに接続する電極線は＋に切替えられたが、移動シート１のその部位には＋の電荷が残留し、端子Ｗに接続する電極線は−に切替えられたが、移動シート１のその部位には電荷がまだ誘起されていない。すなわち、移動シート１と固定シート２との間には、対向面に対して直角方向には斥力が作用し、平行方向には図４（３）において移動シート１を右方向に引く引力が作用する。したがって、移動シート１が固定シート２に対して浮上し移動し易くなるとともに、移動シート１には右方向の力が作用している。
次に、図４（４）に示すステップおいて、移動シート１は固定シート２に対して電極線の１間隔程度だけ右方向に移動して安定する。
【００１９】
上述の一例は、移動シート１が固定シート２に対して移動する原理を説明したもので、端子Ｕ，Ｖ，Ｗに対して特殊な電圧が印加された一例であるということではない。図４に示す構成において、端子Ｕ，Ｖ，Ｗに対して、一般的な、３相の電圧を印加したときにも同様に移動シート１が固定シート２に対して移動する。たとえば、端子Ｕ，Ｖ，Ｗに３相のパルス電圧を印加するものとする。３相の各相は１２０度づつ位相がずれており、パルス電圧は＋（プラス）または−（マイナス）の２つの状態のいずれかである。最初に（Ｕ，Ｖ，Ｗ）＝（−，＋，−）であったとすると、そこから６０度位相が進んだときにはパルス電圧は（−，＋，＋）となる。そのように、６０度づつ位相を順次進めると、０度のときは（−，＋，−）、６０度のときは（−，＋，＋）、１２０度のときは（−，−，＋）、１８０度のときは（＋，−，＋）、２４０度のとき（＋，−，−）、３００度のときは（＋，＋，−）であり、３６０度のときは（−，＋，−）で０度のときのパルス電圧に戻る。このパルス電圧は、図４に示す端子Ｕ，Ｖ，Ｗの配列において、＋（プラス）および−（マイナス）の位置が左から右へシフトして行く形態となっている。このとき、移動シート１は固定シート２における電極線による電界の移動に引かれるようにして固定シート２に対して移動する。
【００２０】
次に、固定シート２の電極構成について説明する。固定シート２における電極線のパターンの一例を図５に示す。固定シート２において移動シート１との対向面に沿う方向に複数本が互いに平行となるように配列している電極線は、図５に示すパターンの一例においては中央部分に存在する。その中央部分を挟む左側部分と右側部分は、電極線の複数本を端子Ｕ，Ｖ，Ｗに結合するためのリード線である。端子Ｕ，Ｖ，Ｗと、その各々に結合するリード線と、電極線とは３系統に一体化した導電線であり、端子、リード線、電極線という区別は無意味にも思えるが、ここではその役割において区別する。すなわち、電源部から電力を供給する導電線の部分が端子Ｕ，Ｖ，Ｗであり、端子Ｕ，Ｖ，Ｗと電極線とを結合し電力を伝送する導電線の部分がリード線であり、移動シート１と固定シート２における主要な静電力が作用する導電線の部分が電極線である。
図５においては、端子Ｕに結合するＵ相リード線が左側部分に配置し、端子Ｗに結合するＷ相リード線が右側部分に配置している。また、Ｕ相リード線とＷ相リード線とは固定シート２における表面に配置している。一方、端子Ｖに結合するＶ相リード線は固定シート２における裏面に配置している。Ｖ相リード線は、図５に示すパターンの一例においては、左側部分と右側部分に分かれて配置している。端子Ｖに結合するＶ相電極線を表面に配置するためには、裏面に配置しているＶ相リード線からスルーホールにより表面に配置しているＶ相リード線に電気的な接続を行ない、その表面に配置しているＶ相リード線とＶ相電極線とを結合するパターンとする。
【００２１】
固定シート２においては、上述のように、複数本の電極線は配列の順序にしたがって３系統に統合接続されて３系統の端子Ｕ，Ｖ，Ｗが設けられている。その端子Ｕ，Ｖ，Ｗに属するリード線と電極とによって１つの電極郡が構成される。固定シート２における電極郡のパターンの一例を図６に示す。固定シート２においては、図６に一例を示すように、端子Ｕａ，Ｖａ，Ｗａを有する電極郡Ａ、端子Ｕｂ，Ｖｂ，Ｗｂを有する電極郡Ｂ、端子Ｕｃ，Ｖｃ，Ｗｃを有する電極郡Ｃ、のように複数の電極郡が並列配置されている。また、図６に示す一例において、移動シート１と固定シート２との接着層３は電極郡Ａに隣接している固定領域３１に配置されている。
それらの複数の電極郡の各端子に対しては、印加する電圧を独立に制御することができる。電源部は制御部の制御下において動作し、電源部は複数の電極郡の各端子に対して、制御部にプログラミングされた所定の時系列パターンで変化する電圧を印加する。
【００２２】
図６に示す一例においては、移動シート１の一方の辺部分が固定領域３１において接着層３により固定している。移動シート１の中央部分は電極郡Ａと電極郡Ｂの上に載せられ、移動シート１の他方の辺部分は領域電極郡Ｃの上に載せられているものとする。このとき、電源部は制御部の制御下において、電極郡Ｂと電極郡Ｃには移動シート１の他方の辺部分が固定している一方の辺部分に近づく移動を行なうように端子Ｕｂ，Ｖｂ，Ｗｂと、端子Ｕｃ，Ｖｃ，Ｗｃに電圧を印加し、電極郡Ａには移動シート１の中央部分がその対向面に対して直角方向の斥力が作用するように端子Ｕａ，Ｖａ，Ｗａに電圧を印加する。これにより、移動シート１に対して、図１（Ａ）→図１（Ｂ）に示す前述の動作を行なわせることができる。
【００２３】
この動作を行なわせるときに印加する電圧のパターンは、たとえば、まず、（Ｕａ，Ｖａ，Ｗａ，Ｕｂ，Ｖｂ，Ｗｂ，Ｕｃ，Ｖｃ，Ｗｃ）＝（＋，＋，＋，−，＋，−，−，＋，−）とする。移動シート１には（−，−，−，＋，−，＋，＋，−，＋）の電荷が誘起され移動シート１と固定シート２との間に静電力による引力が作用し移動シート１は固定シート２に吸着される。次に、（Ｕａ，Ｖａ，Ｗａ，Ｕｂ，Ｖｂ，Ｗｂ，Ｕｃ，Ｖｃ，Ｗｃ）＝（−，−，−，＋，＋，−，＋，＋，−）とする。移動シート１は（−，−，−，＋，−，＋，＋，−，＋）に帯電しているから移動シート１における電極郡Ａの上の中央部分においては対向面に対して直角方向に静電力による斥力が作用しが電極郡Ａの上の中央部分が浮き上がる（突出する）。
次に、（Ｕａ，Ｖａ，Ｗａ，Ｕｂ，Ｖｂ，Ｗｂ，Ｕｃ，Ｖｃ，Ｗｃ）＝（０，０，０，＋，−，−，＋，−，−）とする。移動シート１における電極郡Ａの上の中央部分において新たな電荷が誘起される前に固定シート２における電極郡Ａの部分は（Ｗａ，Ｕａ，Ｖａ）＝（０，０，０）となるから、移動シート１における電極郡Ａの上の中央部分は突出した状態が維持されれる。移動シート１における電極郡Ｂの上の中央部分と電極郡Ｃの上の他方の辺部分における印加する電圧のパターンは、移動シート１におけるその部分が固定された一方の辺部分に近づく方向の静電力が作用している。したがって、移動シート１における他の辺部分が固定された一方の辺部分に近づく方向に移動し、移動シート１における中央部分は突出し立体的な変位を行なう。
【００２４】
次に、本発明の印刷物における電源部と制御部について説明する。本発明の印刷物における電源部の構成の一例を図７に示す。また、本発明の印刷物における制御部の構成の一例を図８に示す。図７において、１０１は入力器、１０２は制御器、１０３は高電圧電源、１０４は復号器、１０５は切替器であり、これらによって電源部が構成される。また図８において２００は制御部である。
入力器１０１は、制御部２００から制御の態様を指令する信号を入力し、制御器１０２に対してその信号を出力する部分である。すなわち、インタフェース、バッファ等の役割を有する部分である。その信号にはＵＰ、ＤＯＷＮ、ＳＴＡＲＴ、ＳＴＯＰ、ＳＰＥＥＤが存在する。ＵＰは移動シート１を上昇移行させる指令信号であり、ＤＯＷＮは移動シート１を下降移行させる指令信号である。また、ＳＴＡＲＴは高電圧電源の電力供給を開始する指令信号であり、ＳＴＯＰは高電圧電源の電力供給を停止する指令信号である。また、ＳＰＥＥＤは３相交流における周波数を決定する指令信号である。
【００２５】
制御器１０２は入力器１０１から入力した指令信号に基づいて高圧電源１０３と復号器１０４を操作する操作信号を出力する制御器である。
高電圧電源１０３はグランドに対してプラス高電圧とマイナスの高電圧を出力する電源である。高電圧電源１０３は制御器１０２が出力する操作信号に基づいてプラス高電圧とマイナスの高電圧における出力電圧を変化することができる。出力電圧の範囲は、たとえば、２００〜２０００ボルト（Ｖ）である。
復号器１０４は、制御器１０２が出力する操作信号を切替器１０５を動作させる切替信号に複合化する。
切替器１０５は、復号器１０４が複合化する切替信号によって、高圧電源１０３の出力を切替える。その切替によって得られる出力は、たとえば、（１）３相正向進行波、（２）３相逆向進行波、（３）３つの出力をすべてプラス高電圧、（４）３つの出力をすべてマイナス高電圧、（５）３つの出力をすべてグランド（０電圧）のいずれかである。
【００２６】
上述の図７に示す電源部は、図８に一例を示すように、電源部Ａ，Ｂ，Ｃ，・・・、のように複数個が存在する。その複数個の電源部Ａ，Ｂ，Ｃ，・・・の各々は、複数個の電極郡Ａ，Ｂ，Ｃ，・・・の各々に電力を供給する。すなわち、１つの電極郡には１つの電源部が対応している。
制御部２００は、電源部の入力器１０１に対して前述した制御の態様を指令する信号を出力する。その指令信号の出力は、移動シート１が所定の動作を行なうようにするためのものである。そのために、制御部２００は、移動シート１の所定の動作に対応した動作プログラムを備えている。その動作プログラムを実行することにより電源部Ａ，Ｂ，Ｃ，・・・の各々に対応した指令信号を時系列で生成する。そして、その生成した指令信号を電源部Ａ，Ｂ，Ｃ，・・・に対して出力する。その結果、移動シート１がプログラムされた所定の動作を行なう。制御部２００としては、パーソナルコンピュータ等のデータ処理装置を使用することができる。
【００２７】
なお、移動シート１に対して案内機構等により移動範囲を制限せず複雑で長時間の動作を行なわせるときには、固定シート２に対する移動シート１の位置誤差が累積して位置が不定となり得る。そのことを回避するためには、本発明の印刷物において、移動シート１の位置を検出するセンサ（図示せず）を備える。また、制御部２００がそのセンサが出力する信号入力し、その信号に基づいて位置ずれが所定の範囲を超えないように制御を行なう制御プログラムを備える。このときには、前述した動作プログラムと制御プログラムの２つが動作することになる。たとえば、動作プログラムと制御プログラムを所定（一連の完結する動作の単位）の間隔で交互に繰返し、その時々の動作プログラムにおける目標位置とセンサが検出した実測位置との誤差を制御プログラムが無くすように操作する構成とすることができる。また、動作プログラムそのものが制御動作を行なうプログラムであるようにすることもできる。その動作プログラムにおける移動シート１の移動は、たとえば、目標位置に追従するサーボ制御とすることができる。位置を検出するセンサとしては、光電センサ、ファイバーセンサ、イメージ処理システム、等の周知のセンサを使用することができる。
【図面の簡単な説明】
【００２８】
【図１】本発明の印刷物における移動シートと固定シートの部分の構成と動作の一例を示す図である。
【図２】本発明の印刷物において移動シートに装飾部材を設けた構成の一例を示す図である。
【図３】本発明の印刷物における容易化手段の一例を示す図である。
【図４】移動シートと固定シートの間に静電力が発生し、その静電力により移動を行なう原理についての説明図である。
【図５】固定シートにおける電極線のパターンの一例を示す図である。
【図６】固定シートにおける電極郡のパターンの一例を示す図である。
【図７】本発明の印刷物における電源部の構成の一例を示す図である。
【図８】本発明の印刷物における制御部の構成の一例を示す図である。
【符号の説明】
【００２９】
１  移動シート
２  固定シート
１０１  入力器
１０２  制御器
１０３  高電圧電源
１０４  復号器
１０５  切替器
２００  制御部
【図１】
2009048037.tif 000003
【図２】
2009048037.tif 000004
【図３】
2009048037.tif 000005
【図４】
2009048037.tif 000006
【図５】
2009048037.tif 000007
【図６】
2009048037.tif 000008
【図７】
2009048037.tif 000009
【図８】
2009048037.tif 000010